(57)【要約】【課題】機構板における開放側の側端部に金属性の補強杆を固着することにより機構板の強度を増すと共に静電気の除去も可能とした遊技機を提供する。【解決手段】遊技盤３の裏面が臨む開口６を開設した合成樹脂製の機構板４を内枠２の裏面一側に開閉自在に軸着し、前記機構板４における開放側の側端部に金属性の補強杆２６を縦方向に配置すると共に該補強杆２６の上下両端部を前記開口６の上下に位置する上・下横板部８ａ，８ｂにそれぞれ固着し、前記補強杆２６には前記機構板４の適宜部位に配置され静電気を除去するためのアース部材３７ａ，３７ｂを電気的に接続してなる構成とした。【選択図】図３
2007130086.tif 000002
【特許請求の範囲】
【請求項１】
遊技盤の裏面が臨む開口を開設した合成樹脂製の機構板を内枠の裏面一側に開閉自在に軸着し、前記機構板における開放側の側端部に金属性の補強杆を縦方向に配置すると共に該補強杆の上下両端部を前記開口の上下に位置する上・下横板部にそれぞれ固着し、前記補強杆には前記機構板の適宜部位に配置され静電気を除去するためのアース部材を電気的に接続してなることを特徴とする遊技機。
【発明の詳細な説明】
【技術分野】
【０００１】
本発明は、内枠の裏面一側に開閉自在に軸着してなる機構板を備えた遊技機に関するものである。
【背景技術】
【０００２】
従来、遊技機の一種であるパチンコ遊技機は内枠の裏面に合成樹脂製の機構板が配置される。該機構板は、内枠裏面の一側に開閉自在に軸着され中央部に遊技盤の裏面が臨む大きい開口が開設されている。また、機構板の裏面には、その上部に遊技球を貯留した球タンク、その下方に位置し該球タンクの遊技球を下方へ誘導するタンクレール、また、軸着部側に位置し前記タンクレールからの遊技球が供給される球払出装置、該球払出装置から払い出される遊技球を内枠の前側へ払い出す球払出通路、球抜きするための球抜通路、機構板の下部に位置し遊技内容を制御するための基板を収納してなる基板ケース等多くの裏部品が装着されている（例えば、特許文献１参照。）
【特許文献１】特開平２００４−３２９９５８号公報（第９−１５頁、図５、図６）
【発明の開示】
【発明が解決しようとする課題】
【０００３】
ところで、最近のパチンコ遊技機、特に遊技盤の中央に可変表示装置が装着されたパチンコ遊技機にあっては、その可変表示装置が大型化するばかりかそのゲーム性も複雑化しており、前記基板ケースが大型化すると共に前記裏部品も多くなり、機構板に掛かる荷重も増えている。一方、前記開口には前記可変表示装置の後部が臨むことになるが、該可変表示装置の大型化に伴い必然的に開口も大きくなり、機構板の開口を囲む板部の幅もその分狭くなっている。通常、機構板の軸着部側は球払出装置等が装着される関係上その横幅が広く成形されるが、開放側の側端部の横幅はほとんど何も装着されない関係上、非常に幅の狭い棒状に成形されている。
【０００４】
このため、開放側の側端部は他の部位に比較すると強度的に弱く、機構板が前記荷重に耐えかねてその部位が湾曲するなど不安定になるという課題がある。また、機構板にはその中に多くの遊技球が流下する通路が成形されているので、それら遊技球が流れる際の摩擦により静電気が溜まり易く、該機構板に装着されている基板ケース内の配線基板に悪影響を及ぼす危険性があるという課題もある。
【０００５】
そこで、本発明は上記課題を解決すべくなされたもので、前記機構板における開放側の側端部に金属性の補強杆を固着することにより機構板の強度を増すと共に静電気の除去も可能とした遊技機を提供することを目的とするものである。
【課題を解決するための手段】
【０００６】
かかる目的を達成するため本発明に係る遊技機は、遊技盤の裏面が臨む開口を開設した合成樹脂製の機構板を内枠の裏面一側に開閉自在に軸着し、前記機構板における開放側の側端部に金属性の補強杆を縦方向に配置すると共に該補強杆の上下両端部を前記開口の上下に位置する上・下横板部にそれぞれ固着し、前記補強杆には前記機構板の適宜部位に配置され静電気を除去するためのアース部材を電気的に接続してなる構成とした。
【発明の効果】
【０００７】
本発明に係る遊技機は、機構板における開放側の側端部に金属製の補強杆を固着したので、機構板における弱い個所が補強され重い荷重にも耐え得る強固な構造とすることができるばかりか、他のアース部材と電気的に接続することにより機構板に溜まり易い静電気の除去も同時に行えるようにしたので、一つの部材で２つの機能を果せられ極めて至便であるという効果がある。また、これら機能を果す部材をそれぞれ別個に設けるよりもコストの低廉が図れるという効果も有る。
【発明を実施するための最良の形態】
【０００８】
以下、本発明に係る遊技機の実施の形態を図面に基づき説明する。なお、本発明はパチンコ遊技機、アレンジボール機または雀球遊技機等の遊技機に適用されるが、その内、その一例としてパチンコ遊技機について説明する。図１は本発明が適用されるパチンコ遊技機の背面図、図２は後側から見た機構板の斜視図、図３は同一部を分解して示す斜視図をそれぞれ示す。
【０００９】
パチンコ遊技機Ｐは、縦長方形状の外枠１を備え、該外枠１の前面に一側上下部を軸着して内枠２が開閉自在に取着されている。該内枠２には遊技盤３が配設され、図示は省略するが、該遊技盤３の前面に外側・内側のガイドレールが渦巻状に敷設されると共にこれら外側・内側のガイドレールにより囲まれて遊技部が成形される。
【００１０】
同様に図示は省略するが、前記遊技部には、多くの障害釘や風車、一回の入賞により所定個数（例えば、１３個）の賞球が払い出される一般入賞口が配置される。また、例えば遊技部の中央部に可変表示装置が設けられ、その下方に遊技球が入賞することにより該可変表示装置を動作させる始動入賞口、前記可変表示装置が特別な図柄を表示し特別遊技状態になったとき一度に多くの入賞球が発生し沢山の賞球が得られる大型の入賞装置等の所謂盤面部品が配置される。前記内枠２前面の一側に前記遊技盤３の前面を覆う透明板保持枠が開閉自在に軸着され、その下方に内枠２の下部前面を覆う前板が開閉自在に軸着される。
【００１１】
前記内枠２の後面に、遊技盤４の後面に接するように合成樹脂製の機構板４が一側を軸着して開閉自在に設けられている。また、内枠２の開放側の後面に内枠２や前記透明板保持枠、前板を開・施錠するための施錠装置５が設けられる。機構板４は、その中央部に前記遊技盤３の裏面が臨む略方形状の開口６が開設され、該開口６を介して前記遊技盤３に装着された可変表示装置の後部を覆うカバー７が後方へ突出している。このカバー７は、その一側に上下一対の腕片７ａ，７ａが突設され、これら腕片７ａ，７ａの先端が後で詳しく説明するように機構板４の裏面に軸着される。
【００１２】
そこで、前記機構板４は、前記開口６を囲うようにして設けられる上・下部の上・下横板部８ａ，８ｂと、軸着部側に設けられる縦板部９と、開放側の側端部をなす細幅の縦枠部１０とから略方形枠状に成形される。
【００１３】
前記上横板部８ａの後面に、遊技球を貯留する球タンク１１が配置され、その一側に該球タンク１１から排出される遊技球を下方へ誘導するタンクレール１２が配置される。該タンクレール１２の流下端は縦板部９の上部に達しており、次に説明する球供給通路１３に連結される。
【００１４】
前記縦板部９の後面に、球供給通路１３が縦方向に配置され、その下方に該球供給通路１３から遊技球が供給される球払出装置１４が配置される。また、該球払出装置１４の下方に該球払出装置１４から払い出される遊技球を前記前板の前面に装着された球皿（図示せず。）に排出するための球排出通路１５が縦方向に設けられる。これと隣接して、遊技終了後に球タンク１１に残っている遊技球をパチンコ遊技機Ｐの外部に排出するための球抜通路１６が同じく縦方向に設けられている。
【００１５】
また、前記下横板部８ｂの後面に、前後方向に高さの異なる二つのケース取付面部１７ａ，１７ｂが隣接して成形され、それぞれのケース取付面部１７ａ，１７ｂに遊技内容を制御する配線基板（図示せず。）が封入された二つの基板ボックス１８ａ，１８ｂが装着される。
【００１６】
前記機構板４の開放側の側端部をなす縦杆部１０は、外側方を囲う側辺部１９ａと後方を囲う後辺部１９ｂとから平断面Ｌ字状に成形されると共に該後辺部１９ｂの内側縁に沿って段部２０を介し後辺部１９ｂよりも一段高くなる樋状凹部２１が連設されている。この樋状凹部２１も平断面Ｌ字状に成形され、内側一側面が内側辺部２１ａにより囲われる。
【００１７】
前記縦杆部１０における後辺部１９ｂの後面に、その長手方向に沿った上部と下部とその中間部に位置してそれぞれ一対のボス２２，２２が後方へ一体に突設される。各一対のボス２２，２２は横方向に所定の間隔離して並置され、後端面には螺子孔２３が開設されている。また、後辺部１９ｂの上下端部に螺子挿通孔２４、すなわち上端部に一個、下端部に二個の螺子挿通孔２４が開設される。前記樋状凹部２１には前記各一対のボス２２，２２に対応位置して先端が内側すなわち内側辺部２１ａ側に屈曲する引留片２５が突設される。これは、後記する配線４０を押えて止めておくためのものである。
【００１８】
そして、前記後辺部１９ｂの後面に該後面に沿って各隣接するボス２２，２２間に介在されるようにして補強杆２６が配置される。該補強杆２６は、図４に示すように直径５ｍｍ程度の太さを有する金属製の線材からなり、前記上横板部８ａと下横板部８ｂとに達する長さを有する。また、補強杆２６の上下の両端部にはそれぞれプレスして平坦部２６ａ，２６ａが設けられ、各平坦部２６ａに上下一対の螺子挿通孔２７，２７が開設されている。
【００１９】
一方、図５に示すように上横板部８ａの下縁部位に前記補強杆２６の各螺子挿通孔２７に対応位置させて螺子孔２８，２８が設けられる。また、図６に示すように下横板部８ｂにも同様に上下に螺子挿通孔２７，２７が開設される。そこで、上横板部８ａ側では、平坦部２６ａの螺子挿通孔２７と後片部１９ｂの螺子挿通孔２４及び平坦部２６ａの螺子挿通孔２７を介して各螺子孔２８にそれぞれ螺子２９が螺締される。同様に、下横板部８ｂ側も、各螺子挿通孔２４，２７を介して各螺子孔２８に螺子２９が螺締される。これにより、補強杆２６が上・下横板部８ａ，８ｂ間にしっかりと固着され、縦杆部１０を補強すると共に機構板４全体を強固な構造とする。
【００２０】
また、前記縦杆部１０の後面に、前記補強杆２６と共に後辺部１９ｂと前記樋状凹部２１を覆うカバー部材３０が配置される。該カバー部材３０は平断面が略クランク状に屈曲し、前記後辺部１９ｂの後面を覆う第一縦段部３０ａと樋状凹部２１の後面を覆う第二縦段部３０ｂとからなり、前記上・中・下部のボス２２のいずれか一個のボス２２に対応位置してそれぞれ螺子挿通孔３１が開設されている。更に、第一縦段部３０ａの後面の所定位置に前記カバー７の腕片７ａ，７ａ先端の各軸ピン７ｂが嵌入する軸孔３２を開設した一対の支持片３３，３３が後方へ水平に突設されている。３４は、前記補強杆２６の各平坦部２６ａの基端側に設けられた螺子挿通孔２７に対応して第一縦段部３０ａの上下部に設けられた透孔である。該各透孔３４を介して各螺子孔２８に螺締した螺子２９を外すことができるようになっている。
【００２１】
そこで、カバー部材３０を後辺部１９ｂ及び樋状凹部２１の後面に合致するようにして被せ、各螺子挿通孔３１を介して対応する各ボス２２の螺子孔２３に螺子２９を螺締することにより、カバー部材３０が取着される。このとき、前記補強杆２６の上下の平坦部２６ａにおける先端側の螺子挿通孔２７はカバー部材３０の上下両端から外側へ露出している。また、この状態で前記カバー７の両腕片７ａ，７ａ先端の各軸ピン７ｂが各支持片３３の軸孔３２に嵌入することになる。
【００２２】
これにより、図７、図８に示すように前記後辺部１９ｂの後面が第一縦段部３０ａにより覆われる。また、樋状凹部２１の後面が第二縦段部３０ｂにより覆われ配線挿通路３６が成形される。該配線挿通路３６内には、例えば前記基板ボックス１８ａ，１８ｂから引出された配線４０が各引留片２５に掛けられて挿通される。
【００２３】
また、本発明にあっては、機構板４の上下部に該機構板４に溜まる静電気を除去するため、アース部材としてのアース板金３７ａ，３７ｂが配設されている。上部のアース板金３７ａは、図５に示すように帯板状に成形され上横板部８ａの後面であってその下縁部に添着され、その一端部に設けられた螺子挿通孔３８が前記上横板部８ａの一方（上方）の螺子孔２８に合致するようになっている。そして、前記アース板金３７ａの後面に補強杆２６の上部の平坦部２６ａを重ね、該平坦部２６ａの螺子挿通孔２７と前記螺子挿通孔３８とを介して螺子孔２８に螺子２９が螺締される。
【００２４】
下部のアース板金３７ｂも、帯板状に成形され下横板部８ｂの前面であってほぼその横幅一杯に添設される。そして、図６に示すように補強杆２６の近傍側に位置するアース板金３７ｂの先端部から導線４１が引出され、該導線４１の先端が補強杆２６の下端部の平坦部２６ａであって、下方の螺子２９に巻回して接触させてある。これにより、前記上下部のアース板金３７ａ，３７ｂと補強杆２６が電気的に接続される。また、下部のアース板金３７ｂは電源基板（図示せず。）に電気的に接続される。
【００２５】
このようにして、機構板４に溜まった静電気は上部のアース板金３７ａ、補強杆２６、下部のアース板金３７ｂを介して電源基板からパチンコ遊技機の外に逃される。
【００２６】
以上のように、本発明に係るパチンコ遊技機Ｐは、機構板４における開放側の側端部に金属製の補強杆２６を固着したので、機構板４における弱い個所が補強され多くの荷重に耐えられる強固な構造とすることができる。しかも、補強杆２６と両アース板金３７ａ，３７ｂとを電気的に接続することにより機構板４に溜まり易い静電気の除去も行えるようにしたので、一つの部材で２つの機能を果せられ極めて至便である。
【図面の簡単な説明】
【００２７】
【図１】本発明が適用されるパチンコ遊技機の背面図。
【図２】後側から見た機構板の斜視図。
【図３】同一部を分解して示す斜視図。
【図４】補強杆とカバー部材の斜視図。
【図５】補強杆上部部位の側面断面図。
【図６】補強杆下部部位の側面断面図。
【図７】図５のＸ−Ｘ線断面図。
【図８】図５のＹ−Ｙ線断面図。
【符号の説明】
【００２８】
２                      内枠
３                      遊技盤
４                      機構板
６                      開口
８ａ                    上横板部
８ｂ                    下横板部
２６                    補強杆
３７ａ                  アース部材（アース板金）
３７ｂ                  アース部材（アース板金）
Ｐ                      遊技機（パチンコ遊技機）
【図１】
2007130086.tif 000003
【図２】
2007130086.tif 000004
【図３】
2007130086.tif 000005
【図４】
2007130086.tif 000006
【図５】
2007130086.tif 000007
【図６】
2007130086.tif 000008
【図７】
2007130086.tif 000009
【図８】
2007130086.tif 000010